(57)【要約】【課題】光給電を行う際にエネルギの伝送をより効果的に行える光ファイバを提供する。【解決手段】マルチコアファイバ１７は、通信に必要な通信光Ｌ１を伝搬させる通信用コア１７ａと、通信用コア１７ａとは異なるコアであってエネルギ伝送を行うエネルギ伝送用コア１７ｂと、通信用コア１７ａ及びエネルギ伝送用コア１７ｂを覆うクラッド１７ｃとを備えている。このマルチコアファイバ１７では、エネルギ伝送用コア１７ｂの直径が通信用コア１７ａの直径よりも大きく、通信用コア１７ａで伝搬される通信光Ｌ１の波長λ１とエネルギ伝送用コア１７ｂで伝送されるエネルギ伝送の光Ｌ２の波長λ２とが異なるように設定されている。【選択図】図２
2014013311.tif 000002
【特許請求の範囲】
【請求項１】
複数のコアを有する光ファイバであって、
通信に必要な通信光を伝搬させる通信用コアと、前記通信用コアとは異なるコアであってエネルギ伝送を行うエネルギ伝送用コアと、前記通信用コア及び前記エネルギ伝送用コアを覆うクラッドと、を備え、
前記エネルギ伝送用コアの径が前記通信用コアの径よりも大きく、前記通信用コアで伝搬される前記通信光の波長と前記エネルギ伝送用コアで伝送される前記エネルギ伝送の光の波長とが異なることを特徴とする光ファイバ。
【請求項２】
前記エネルギ伝送用コアの断面積が前記通信用コアの断面積の２倍以上であることを特徴とする請求項１に記載の光ファイバ。
【請求項３】
前記エネルギ伝送用コアの断面積が前記通信用コアの断面積の１０倍以上であることを特徴とする請求項２に記載の光ファイバ。
【請求項４】
前記エネルギ伝送用コアは前記光ファイバ内に複数設けられており、
前記エネルギ伝送用コアの断面積が複数の前記エネルギ伝送用コアの断面積の合計であることを特徴とする請求項２又は３に記載の光ファイバ。
【請求項５】
前記エネルギ伝送用コアは、前記通信用コアよりも前記光ファイバの中心軸から径方向外側に配置されていることを特徴とする請求項１〜４の何れか一項に記載の光ファイバ。
【請求項６】
前記エネルギ伝送用コアの開口数が前記通信用コアの開口数よりも大きいことを特徴とする請求項１〜５の何れか一項に記載の光ファイバ。
【請求項７】
通信に必要な通信光を伝搬させる通信用コアと、前記通信用コアとは異なるコアであってエネルギ伝送を行うエネルギ伝送用コアと、前記通信用コア及び前記エネルギ伝送用コアを覆うクラッドとを有し、前記エネルギ伝送用コアの直径が前記通信用コアの直径よりも大きく、前記通信用コアで伝搬される前記通信光の波長と前記エネルギ伝送用コアで伝送される前記エネルギ伝送の光の波長とが異なる光ファイバと、
前記光ファイバの入出力端の少なくとも一方において、前記通信光と前記エネルギ伝送の光とを空間分離する空間分離光学系と、
を備えることを特徴とする光通信システム。
【請求項８】
通信に必要な通信光を伝搬させる通信用コアと、前記通信用コアとは異なるコアであってエネルギ伝送を行うエネルギ伝送用コアと、前記通信用コア及び前記エネルギ伝送用コアを覆うクラッドとを有し、前記エネルギ伝送用コアの直径が前記通信用コアの直径よりも大きく、前記通信用コアで伝搬される前記通信光の波長と前記エネルギ伝送用コアで伝送される前記エネルギ伝送の光の波長とが異なる光ファイバと、
前記光ファイバの入出力端の少なくとも一方において、前記通信光と前記エネルギ伝送の光とを波長によって分離する波長分離光学系と、
を備えることを特徴とする光通信システム。
【発明の詳細な説明】
【技術分野】
【０００１】
本発明は、光ファイバ及び光通信システムに関する。
【背景技術】
【０００２】
遠隔地における所定の情報（例えば電流値や電圧値）を集中的に観測するために、遠隔地に配置されたセンサによる測定信号を光ファイバを介して伝送させ、所定の情報を収集することが行われている。そして、測定に用いられるセンサや光通信の端末機器等への電力の給電を光ファイバを介して行うことが、例えば、特許文献１で提案されている。
【先行技術文献】
【特許文献】
【０００３】
【特許文献１】特許第４６４１７８７号公報
【発明の概要】
【発明が解決しようとする課題】
【０００４】
ところで、特許文献１に記載の光給電システムでは、シングルコアファイバを用いているため、通信光を伝送するシングルコアを用いて、高いエネルギ伝送を行う必要があり、高パワーのエネルギ伝送によってファイバの接続部に損傷が生じてしまう場合があった。また、伝送するエネルギの容量も光通信等を考慮すると、制限せざるを得なかった。
【０００５】
本発明は、上述の課題を解決するためになされたものであり、光給電を行う際にエネルギの伝送をより効果的に行える光ファイバ及び光通信システムを提供することを目的とする。
【課題を解決するための手段】
【０００６】
本発明に係る光ファイバは、複数のコアを有する光ファイバであって、通信に必要な通信光を伝搬させる通信用コアと、通信用コアとは異なるコアであってエネルギ伝送を行うエネルギ伝送用コアと、通信用コア及びエネルギ伝送用コアを覆うクラッドとを備え、エネルギ伝送用コアの径が通信用コアの径よりも大きく、通信用コアで伝搬される通信光の波長とエネルギ伝送用コアで伝送されるエネルギ伝送の光の波長とが異なることを特徴としている。
【０００７】
この光ファイバは、通信用コアとエネルギ伝送用コアとを備えており、エネルギ伝送用コアの径が通信用コアの径よりも大きくなっている。この場合、それぞれの伝送用にコアを備えていることになるため、通信とエネルギ伝送とを容易に両立させることができ、光通信に対する光給電の影響を低減させることができる。また、エネルギ伝送用コアの径が大きいため、容量が比較的高いエネルギをエネルギ伝送用コアに入射させた場合であっても、光ファイバを損傷させてしまうことを避けることができる。
【０００８】
また、この光ファイバでは、通信用コアで伝搬される通信光の波長とエネルギ伝送用コアで伝送されるエネルギ伝送の光の波長とが異なるようにしている。この場合、通信とエネルギ伝送とを異なる波長で行うことになるため、通信への雑音の混入を低減させることができる。このように、この光ファイバによれば、光給電を行う際にエネルギの伝送をより効果的に行うことが可能となる。
【０００９】
本発明に係る光ファイバにおいて、エネルギ伝送用コアの断面積が通信用コアの断面積の２倍以上であってもよいし、エネルギ伝送用コアの断面積が通信用コアの断面積の１０倍以上であってもよい。この場合、エネルギ伝送のパワー密度を下げて、光ファイバの接続部の損傷を一層、回避することが可能となる。なお、本発明に係る光ファイバにおいて、エネルギ伝送用コアは光ファイバ内に複数設けられており、エネルギ伝送用コアの断面積が複数のエネルギ伝送用コアの断面積の合計であってもよい。
【００１０】
本発明に係る光ファイバにおいて、エネルギ伝送用コアは、通信用コアよりも光ファイバの中心軸から径方向外側に配置されていてもよい。この場合、通信用コアが光ファイバの中心側に配置されることになり、安定した情報通信を行うことができる。
【００１１】
本発明に係る光ファイバにおいて、エネルギ伝送用コアの開口数が通信用コアの開口数よりも大きくてもよい。この場合、エネルギ伝送用コアの開口数が高くなることにより、光ファイバに曲げが発生した場合であっても、その曲げ箇所からの漏光を低減させることができる。これにより、光給電におけるエネルギ損失を低減させることが可能となる。
【００１２】
また、本発明に係る光通信システムは、光ファイバと、光ファイバの入出力端の少なくとも一方において、通信光とエネルギ伝送の光とを空間分離する空間分離光学系とを備えることを特徴としている。この光ファイバは、上述したように、通信に必要な通信光を伝搬させる通信用コアと、通信用コアとは異なるコアであってエネルギ伝送を行うエネルギ伝送用コアと、通信用コア及びエネルギ伝送用コアを覆うクラッドとを有し、エネルギ伝送用コアの直径が通信用コアの直径よりも大きく、通信用コアで伝搬される通信光の波長とエネルギ伝送用コアで伝送されるエネルギ伝送の光の波長とが異なるようになっている。
【００１３】
また、本発明に係る光通信システムは、光ファイバと、光ファイバの入出力端の少なくとも一方において、通信光とエネルギ伝送の光とを波長によって分離する波長分離光学系とを備えること特徴としている。この光ファイバは、通信に必要な通信光を伝搬させる通信用コアと、通信用コアとは異なるコアであってエネルギ伝送を行うエネルギ伝送用コアと、通信用コア及びエネルギ伝送用コアを覆うクラッドとを有し、エネルギ伝送用コアの直径が通信用コアの直径よりも大きく、通信用コアで伝搬される通信光の波長とエネルギ伝送用コアで伝送されるエネルギ伝送の光の波長とが異なるようになっている。
【００１４】
上述した光通信システムでも、上記同様、光ファイバが、通信用コアとエネルギ伝送用コアとを備えており、エネルギ伝送用コアの径が通信用コアの径よりも大きくなっている。この場合、それぞれの伝送用にコアを備えていることになるため、通信とエネルギ伝送とを容易に両立させることができ、光通信に対する光給電の影響を低減させることができる。また、エネルギ伝送用コアの径が大きいため、容量が比較的高いエネルギをエネルギ伝送用コアに入射させた場合であっても、光ファイバを損傷させてしまうことを避けることができる。
【００１５】
また、光通信システムに用いられる光ファイバでは、通信用コアで伝搬される通信光の波長とエネルギ伝送用コアで伝送されるエネルギ伝送の光の波長とが異なっている。この場合、通信とエネルギ伝送とを異なる波長で行うことになるため、通信への雑音の混入を低減させることができる。このように、上記の光通信システムによれば、光給電を行う際にエネルギの伝送をより効果的に行うことが可能となる。
【発明の効果】
【００１６】
本発明によれば、光給電を行う際にエネルギの伝送をより効果的に行える光ファイバ及び光通信システムを提供することができる。
【図面の簡単な説明】
【００１７】
【図１】本実施形態に係る光通信システムの一例を示す図である。
【図２】図１に示す光通信システムに用いられるマルチコアファイバの断面を示す図である。
【図３】図１に示す光通信システムに用いられる合波装置の一例を示す図である。
【図４】図１に示す光通信システムに用いられる分波装置の一例を示す図である。
【図５】図１に示す光通信システムに用いられる分波装置の別の例を示す図である。
【図６】図５に示す分波装置に用いられる中央開口型ミラーを示す図である。
【図７】図１に示す光通信システムに用いられる分波装置の更に別の例を示す図である。
【発明を実施するための形態】
【００１８】
以下、添付図面を参照して、本発明の好適な実施形態について詳細に説明する。なお、説明において、同一要素又は同一機能を有する要素には、同一符号を用いることとし、重複する説明は省略する。
【００１９】
まず、図１〜図４を参照しながら、本実施形態に係る光通信システム１について説明する。
【００２０】
光通信システム１は、図１に示されるように、通信用光源１１、給電光源１２、合波装置１３、分波装置１４、センサ装置２０、シングルコアファイバ１５ａ，１５ｂ（以下「ＳＣＦ１５ａ，１５ｂ」と記す）、マルチコアファイバ１７（以下「ＭＣＦ１７」と記す）、及び、シングルコアファイバ１９ａ，１９ｂ（以下「ＳＣＦ１９ａ，１９ｂ」と記す）を備えて構成される。センサ装置２０は、光電変換部２１，２２、制御部２３及び電源２４を含んで構成される。
【００２１】
通信用光源１１は、光通信システム１によって実行される光通信のための光であって、波長λ１（例えば、波長１．５５μｍ）を有する光Ｌ１を生成させるための光源である。通信用光源１１は、例えば、発光ダイオード（ＬＥＤ）やレーザダイオード（ＬＤ）から構成される。通信用光源１１は、ＳＣＦ１５ａの一端に接続されており、通信用光源１１で生成された光Ｌ１がＳＣＦ１５ａを介して合波装置１３に入射される。ＳＣＦ１５ａは、例えば、クラッドの直径が１２５μｍ程度であり、コアの直径が１０μｍであるシングルコアファイバである。
【００２２】
給電光源１２は、光通信システム１によって実行される光給電のための光であって、波長λ１と異なる波長λ２（例えば、波長１．４５μｍ）を有する光Ｌ２を生成させるための光源である。給電光源１２は、例えば、発光ダイオード（ＬＥＤ）やレーザダイオード（ＬＤ）から構成される。給電光源１２は、２本のＳＣＦ１５ｂ，１５ｂの一端に接続されており、給電光源１２で生成された光が２本のＳＣＦ１５ｂ，１５ｂを介して合波装置１３に入射される。各ＳＣＦ１５ｂは、例えば、クラッドの直径が１２５μｍ程度であり、コアの直径が２５μｍであるシングルコアファイバである。なお、給電光源１２で生成される光Ｌ２は，例えば、１ｍＷ〜１０００ｍＷ程度の電力に相当する。
【００２３】
合波装置１３は、図３に示されるように、通信用光源１１に接続されているＳＣＦ１５ａ及び給電光源１２に接続されているＳＣＦ１５ｂ，１５ｂを、ＭＣＦ１７に光学結合するための微小光学系（空間分離光学系）の装置であり、第１の光学系Ｓ１と第２の光学系Ｓ２とを備えて構成される。
【００２４】
第１の光学系Ｓ１は、ＳＣＦ１５ａ，１５ｂ側に位置しており、１つの集光レンズで構成されている。第１の光学系Ｓ１の集光レンズは、ＳＣＦ１５ａ，１５ｂの出射端の軸線上において、各ＳＣＦ１５ａ，１５ｂと対向するように配置されている。第１の光学系Ｓ１の集光レンズは、ＳＣＦ１５ａ，１５ｂの出射端から、所定の距離だけ離れた位置に配置されている。そして、この集光レンズを透過した複数のビームは、第２の光学系Ｓ２に向かってそのビーム間隔が縮められて焦点箇所で一度交差し、その後、再びビーム間隔が拡げられて、第２の光学系Ｓ２に入射されるようになっている。
【００２５】
第２の光学系Ｓ２は、ＭＣＦ１７側に位置しており、１つの集光レンズで構成されている。第２の光学系Ｓ２の集光レンズは、ＭＣＦ１７の入射端の軸線上において、ＭＣＦ１７と対向するように配置されている。第２の光学系Ｓ２の集光レンズは、ＭＣＦ１７の入射端から、その集光レンズの焦点距離だけ離れた位置に配置されている。そして、第２の光学系Ｓ２は、この集光レンズを透過した複数のビームＬ１，Ｌ２をＭＣＦ１７の各コアの光軸と平行になるように偏向させ、平行になった各ビームＬ１，Ｌ２をＭＣＦ１７の各コア１７ａ，１７ｂ（図２参照）に入射させる。
【００２６】
ＭＣＦ１７は、互いに離れて配置される合波装置１３と分波装置１４とを接続するマルチコアファイバである。ＭＣＦ１７は、図２に示されるように、光通信に必要な通信光を伝搬させる通信用コア１７ａと、通信用コア１７ａとは異なるコアであってエネルギ伝送を行うエネルギ伝送用コア１７ｂ，１７ｂと、両コア１７ａ，１７ｂを覆うクラッド１７ｃとを備えて構成されている。通信用コア１７ａは、ＭＣＦ１７の中心軸に沿ってその中央に配置されている。エネルギ伝送用コア１７ｂ，１７ｂは、ＭＣＦ１７の中心軸を中心とした同心円上に位置するように、その径方向の外側に配置されており、エネルギ伝送用コア１７ｂ，１７ｂがＭＣＦ１７の中心軸を中心として互いに対照となる位置に配置されている。
【００２７】
例えば、ＭＣＦ１７のクラッドの直径は１２５μｍ程度であり、通信用コア１７ａの直径は１０μｍ程度であり、エネルギ伝送用コア１７ｂの直径は２５μｍ程度である。すなわち、エネルギ伝送用コア１７ｂの直径が通信用コア１７ａの直径よりも大きく形成されており、エネルギ伝送用コア１７ｂの断面積が通信用コア１７ａの断面積の２倍以上となっている。
【００２８】
なお、通信用コア１７ａに入射される光Ｌ１とエネルギ伝送用コア１７ｂに入射される光Ｌ２とは、上述したように、それぞれの波長が波長λ１，λ２のように互いに異なっており、エネルギ伝送用コア１７ｂを伝送される光による通信光への影響が低減されている。また、通信用コア１７ａとエネルギ伝送用コア１７ｂとがその最短離間距離（各コアにおける最も近接した位置間の距離）を少なくとも２０μｍ程度となるように互いに離間して配置されているので、このような影響がより一層低減されている。
【００２９】
また、例えば、ＭＣＦ１７の通信用コア１７ａの開口数（ＮＡ）は、０．１２程度であり、ＭＣＦ１７のエネルギ伝送用コア１７ｂの開口数（ＮＡ）は、０．２となっている。すなわち、エネルギ伝送用コア１７ｂの開口数が通信用コア１７ａの開口数よりも大きくなっている。このように、エネルギ伝送用コア１７ｂの開口数を高めることにより、ＭＣＦ１７を曲げた際に発生する漏光を回避することができる。なお、例えば、コアの材質を変えることにより開口数を適宜変更することができる。
【００３０】
分波装置１４は、図４に示されるように、ＭＣＦ１７を、制御用の光電変換部２１に接続されるＳＣＦ１９ａ及び電源用の光電変換部２２に接続されるＳＣＦ１９ｂ，１９ｂに光学結合するための微小光学系（空間分離光学系）の装置であり、第２の光学系Ｓ２と第１の光学系Ｓ１とを備えて構成される。分波装置１４が備える第１及び第２の光学系Ｓ１，Ｓ２は、伝送方向は異なるが、その機能は基本的に合波装置１３の第１及び第２の光学系Ｓ１，Ｓ２と同様である。
【００３１】
第２の光学系Ｓ２は、ＭＣＦ１７側に位置しており、１つの集光レンズで構成されている。第２の光学系Ｓ２の集光レンズは、ＭＣＦ１７の出射端の軸線上において、ＭＣＦ１７と対向するように配置されている。第２の光学系Ｓ２の集光レンズは、ＭＣＦ１７の出射端から、その集光レンズの焦点距離だけ離れた位置に配置されている。そして、第２の光学系Ｓ２は、第１の光学系Ｓ１に向かってそのビーム間隔が縮められて焦点箇所で一度交差し、その後、再びビーム間隔が拡げられて、第１の光学系Ｓ１に入射するようになっている。
【００３２】
第１の光学系Ｓ１は、ＳＣＦ１９ａ，１９ｂ側に位置しており、１つの集光レンズで構成されている。第１の光学系Ｓ１の集光レンズは、ＳＣＦ１９ａ，１９ｂの入射端の軸線上において、各ＳＣＦ１９ａ，１９ｂと対向するように配置されている。第１の光学系Ｓ１の集光レンズは、ＳＣＦ１９ａ，１９ｂの入射端から、所定の焦点距離だけ離れた位置に配置されている。そして、第１の光学系Ｓ１は、この集光レンズを透過した複数のビームをＳＣＦ１９ａ，１９ｂの各コアの光軸と平行になるように偏向させ、平行になった各ビームをＳＣＦ１９ａ，１９ｂの各コアに入射させる。
【００３３】
センサ装置２０は、制御用の光電変換部２１、電源用の光電変換部２２、制御部２３及び電源２４を含んで構成される。光電変換部２１は、ＳＣＦ１９ａの一端に接続されており、通信用コア１７ａを伝送されてきた通信光を受光し、受光した光を電気信号に変換させる。光電変換部２１は、変換した電気信号を制御部２３に出力する。制御部２３は、所定の値（例えば電流値や電圧値）を測定するためのセンサを制御するためのコントローラであり、通信用コア１７ａからの通信光による指示信号で指示された測定の結果を同じ経路を通って合波装置１３側に伝送する。光電変換部２１は、例えば、フォトダイオード（ＰＤ）から構成される。
【００３４】
光電変換部２２は、ＳＣＦ１９ｂ，１９ｂの一端に接続されており、エネルギ伝送用コア１７ｂを伝送されてきたエネルギ伝送のための光を受光し、受光した給電光を電力に変換させる。光電変換部２２は、変換した電力を電源２４に供給する。電源２４は、制御部２３や制御部２３で駆動される各種センサ等を駆動するための電源である。なお、光電変換部２２は、光電変換部２１と同様、例えば、フォトダイオード（ＰＤ）から構成される。
【００３５】
以上、説明したとおり、本実施形態に係る光通信システム１では、ＭＣＦ１７が光通信及び光給電の伝送用にそれぞれのコア１７ａ，１７ｂを備えているため、通信とエネルギ伝送とを容易に両立させることができ、光通信に対する光給電の影響を低減させることができる。また、エネルギ伝送用コア１７ｂの直径が大きいため、容量が比較的高いエネルギをエネルギ伝送用コア１７ｂに入射させた場合であっても、ＭＣＦ１７を損傷させてしまうことを避けることができる。また仮に損傷させてしまった場合であっても、通信用コアと異なるため、通信への影響を低減できる。
【００３６】
また、このＭＣＦ１７では、通信用コア１７ａで伝搬される通信光Ｌ１の波長λ１とエネルギ伝送用コア１７ｂで伝送されるエネルギ伝送の光Ｌ２の波長λ２とが異なるようになっている。このため、通信への雑音の混入を低減させることができる。
【００３７】
このように、このＭＣＦ１７及びＭＣＦ１７を備えた光通信システム１によれば、光給電を行う際にエネルギの伝送をより効果的に行うことが可能となる。
【００３８】
また、ＭＣＦ１７では、各エネルギ伝送用コア１７ｂの断面積及び両コア１７ｂの断面積合計が通信用コア１７ａの断面積の２倍以上となっている。このため、エネルギ伝送のパワー密度を下げて、ＭＣＦ１７の接続部の損傷を一層、回避することが可能となる。なお、エネルギ伝送用コア１７ｂの断面積が通信用コア１７ａの断面積の１０倍以上となるようにしてもよい。
【００３９】
また、ＭＣＦ１７では、エネルギ伝送用コア１７ｂは、通信用コア１７ａよりも光ファイバの中心軸から径方向外側に配置されている。これにより、通信用コア１７ａが光ファイバの中心側に配置されることになり、安定した情報通信を行うことができる。
【００４０】
また、ＭＣＦ１７では、エネルギ伝送用コア１７ｂの開口数が通信用コア１７ａの開口数よりも大きくなっている。このように、エネルギ伝送用コア１７ｂの開口数が高くなることにより、ＭＣＦ１７に曲げが発生した場合であっても、その曲げ箇所からの漏光を低減させることができる。これにより、光給電におけるエネルギ損失を低減させることが可能となる。
【００４１】
本発明は、上記実施形態に限定されるものではなく、種々の変形を適用できる。例えば、上記実施形態では、合波装置１３や分波装置１４として微小光学系の空間分離光学系を用いたが、図５に示されるように、分波装置１４として、レンズ３１及び中央開口型ミラー３２を備えた装置（空間分離光学系）を用いてもよい。中央開口型ミラー３２は、図６に示されるように、その中央に開口３２ａを備えており、他の部分は光を所定の角度で反射させるミラーとなっている。この分波装置１４では、ＭＣＦ１７から射出された通信光Ｌ１及び光給電用の光Ｌ２をレンズ３１によって中央開口型ミラー３２に集光させ、通信光Ｌ１を中央開口型ミラー３２の開口３２ａを通過するようにする一方、給電用の光Ｌ２を所定の箇所３２ｂ，３２ｂで反射させ、これにより、通信光Ｌ１とエネルギ伝送の光Ｌ２とを空間分離するようにしている。なお、この空間分離光学系の分波装置１４と同様の構成を合波装置１３に適用してももちろんよい。
【００４２】
また、図７に示されるように、分波装置４４として、レンズ４１及び分波フィルタ４２を備えた装置（波長分離光学系）を用いてもよい。この分波装置４４では、ＭＣＦ１７から射出された通信光Ｌ１及び光給電用の光Ｌ２をレンズ４１によって平行光に偏向させ、この平行光を分波フィルタ４２に入射させる。通信光Ｌ１とエネルギ伝送用の光Ｌ２は、それぞれ波長がλ１とλ２と異なっているため、分波フィルタ４２への入射により、通信光Ｌ１とエネルギ伝送の光Ｌ２とが波長分離する。なお、この波長分離光学系の分波装置４４と同様の構成を合波装置１３に適用してももちろんよい。
【００４３】
また、上記実施形態では、ＭＣＦ１７の通信用コア１７ａが１つ、エネルギ伝送用コア１７ｂが２つの構成で説明したが、各コアの数量は適宜変更することが可能であり、例えば、１つの通信用コア１７ａの周りに４つのエネルギ伝送用コア１７ｂを配置してもよい。
【符号の説明】
【００４４】
１…光通信システム、１３…合波装置（空間分離光学系）、１４…分波装置（空間分離光学系）、１７…ＭＣＦ、１７ａ…通信用コア、１７ｂ…エネルギ伝送用コア、１７ｃ…クラッド、４４…分波装置（波長分離光学系）、λ１，λ２…波長。
【図１】
2014013311.tif 000003
【図２】
2014013311.tif 000004
【図３】
2014013311.tif 000005
【図４】
2014013311.tif 000006
【図５】
2014013311.tif 000007
【図６】
2014013311.tif 000008
【図７】
2014013311.tif 000009